(57)【要約】【課題】本発明は、汎用プラグアンドプレイ（Universal Plug and Play：ＵＰｎＰ）テレフォニー装置と広域ネットワーク（ＷＡＮ）装置との間のマルチメディア会議システム及び方法を提供する。【解決手段】少なくとも１つのテレフォニー制御ポイント（Telephony Control Point：ＴＣＰ）がセッション要請を通じてＵＰｎＰテレフォニー基盤ホームネットワークにおけるＷＡＮ装置でマルチメディア会議セッションを始めるステップを含む。上記セッション要請は、セッション情報と、上記少なくとも１つのＴＣＰと関連したテレフォニークライアント（Telephony Client：ＴＣ）装置のメディア性能と、ＷＡＮ装置のリストまたは１つ以上のＷＡＮ装置と関連した会議グループ識別子と、マルチメディア会議セッションの主題とを含む方法とする。【選択図】図１
2014207675.tif 000002
【特許請求の範囲】
【請求項１】
サーバにおいてクライアントを含む装置と複数の広域ネットワーク（Wide Area Network：ＷＡＮ）装置との間のマルチメディア会議方法であって、
複数のＷＡＮ装置とのマルチメディア会議セッションと関連したセッション要請を受信するステップと、
前記セッション要請に基づいて少なくとも一つの制御ポイントと関連した第１のクライアントと前記複数のＷＡＮ装置との間の前記マルチメディア会議セッションを設定するステップと、を含むことを特徴とする方法。
【請求項２】
前記セッション要請は、ローカルセッション識別子、セッション情報、前記第１のクライアントのメディア性能、ＷＡＮ装置のリストを含むことを特徴とする請求項１に記載の方法。
【請求項３】
前記少なくとも一つの制御ポイントと関連した前記第１のクライアントと前記複数のＷＡＮ装置との間の前記マルチメディア会議セッションを設定するステップは、
前記マルチメディア会議セッションと関連したセッション要請を受信するステップを含むことを特徴とする請求項２に記載の方法。
【請求項４】
前記少なくとも一つの制御ポイントと関連した前記第１のクライアントと前記複数のＷＡＮ装置との間の前記マルチメディア会議セッションを設定するステップは、
前記セッション要請によってＷＡＮを使用して前記複数のＷＡＮ装置で前記マルチメディア会議セッションを始めるステップと、
前記第１のクライアントのメディア性能に基づいて前記第１のクライアント及び前記複数のＷＡＮ装置にマルチメディアデータを提供するステップと、を含むことを特徴とする請求項３に記載の方法。
【請求項５】
前記セッション要請によって前記ＷＡＮを使用して前記複数のＷＡＮ装置で前記マルチメディア会議セッションを始めるステップは、
前記複数のＷＡＮ装置で前記マルチメディア会議セッションを始める前記少なくとも一つの制御ポイントから前記セッション要請を受信するステップと、
前記受信されたセッション要請から前記ローカルセッション識別子、前記ＷＡＮ装置のリスト又は前記一つ以上のＷＡＮ装置と関連した会議グループ識別子、前記第１のクライアントのメディア性能、及びセッション情報を抽出するステップと、
前記セッション情報に基づいて前記セッション要請が前記マルチメディア会議セッションと関連するか否かを判断するステップと、
仮に関連すれば、マルチメディア会議開始要請を前記ＷＡＮ装置のリストにある複数のＷＡＮ装置の各々に伝達するステップと、
仮に関連しなければ、前記複数のＷＡＮ装置で前記マルチメディア会議セッションを終了するステップと、を含むことを特徴とする請求項４に記載の方法。
【請求項６】
前記マルチメディア会議開始要請を前記複数のＷＡＮ装置のリストにある複数のＷＡＮ装置の各々に伝達するステップは、
前記第１のクライアントと前記複数のＷＡＮ装置との間の前記マルチメディア会議セッションを設定するための、グループ会議セッション識別子、前記第１のクライアントのメディア性能、セッション主題を含む前記マルチメディア会議開始要請を生成するステップと、
前記ＷＡＮを通じて前記生成されたマルチメディア会議開始要請を前記ＷＡＮ装置のリストに基づいて前記複数のＷＡＮ装置の各々に、又は前記会議グループ識別子に転送するステップと、を含むことを特徴とする請求項５に記載の方法。
【請求項７】
前記生成されたマルチメディア会議開始要請を転送するステップは、
前記マルチメディア会議開始要請に対応して前記複数のＷＡＮ装置から確認メッセージを受信するステップと、
前記マルチメディア会議セッションの成功的な設定と関連した前記確認メッセージを処理するステップと、
前記マルチメディア会議セッションの成功的な設定と関連した前記処理された確認メッセージを通じて前記少なくとも一つの制御ポイントに知らせるステップと、を含むことを特徴とする請求項６に記載の方法。
【請求項８】
前記第１のクライアントと前記複数のＷＡＮ装置との間の前記マルチメディア会議セッションを設定するステップで、
前記マルチメディア会議セッションは、ビデオ会議セッション、オーディオ会議セッション、及びオーディオ及びビデオ会議セッションからなるグループから選択されることを特徴とする請求項７に記載の方法。
【請求項９】
前記第１のクライアントと前記複数のＷＡＮ装置との間の前記マルチメディア会議セッションを設定するステップは、
前記複数のＷＡＮ装置からマルチメディアデータを受信するステップと、
前記マルチメディアデータが第１のクライアントに互換可能なフォーマットで出力されるように、前記マルチメディア会議セッションの間、前記第１のクライアントのメディア性能に基づいて前記マルチメディアデータを処理して前記第１のクライアントに伝達するステップとを含むことを特徴とする請求項８に記載の方法。
【請求項１０】
前記少なくとも一つの制御ポイントから受信された前記グローバル修正セッション要請から情報を抽出するステップは、
前記複数のＷＡＮ装置に修正セッション情報を伝達するステップと、
前記グローバル修正セッション要請に基づいて前記進行中のマルチメディア会議セッションで少なくとも一つのＷＡＮ装置を追加する、又は除去するステップと、
前記進行中のマルチメディア会議セッションで追加、又は除去された少なくとも一つのＷＡＮ装置に対し、前記少なくとも一つの制御ポイント及び前記マルチメディア会議セッションの他のアクティブなＷＡＮ装置に知らせるステップと、をさらに含むことを特徴とする請求項１に記載の方法。
【請求項１１】
前記サーバが前記少なくとも一つの制御ポイントから受信された前記参加セッション要請からセッション識別子情報を抽出するステップと、
前記抽出されたセッション識別子が前記進行中のマルチメディア会議セッションと関連したセッション識別子とマッチングされるか否かを判断するステップと、
仮にマッチングされれば、前記進行中のマルチメディア会議セッションに参加するステップと、
仮にマッチングされれば、前記参加セッション要請に基づいて前記少なくとも一つの制御ポイントと関連した第１のクライアントが前記進行中のマルチメディア会議セッションに参加するように許容するステップと、
仮にマッチングされなければ、前記少なくとも一つの制御ポイントから受信された前記参加セッション要請を終了するステップと、をさらに含むことを特徴とする請求項１に記載の方法。
【請求項１２】
前記第１のクライアントと前記複数のＷＡＮ装置との間の前記マルチメディア会議セッションを設定するステップは、
進行中のマルチメディア会議情報と関連した、ユーザ脱退セッション情報、ユーザ参加セッション情報、及び前記マルチメディア会議セッションの主題変化を含む動的セッション情報を前記少なくとも一つの制御ポイントに提供するステップを含むことを特徴とする請求項１に記載の方法。
【請求項１３】
前記マルチメディア会議セッションが進行中の時、前記少なくとも一つの制御ポイント又は前記ＷＡＮ装置のうちの一つが前記マルチメディア会議セッションと関連したグローバルセッション情報をアップデートするステップをさらに含むことを特徴とする請求項１に記載の方法。
【請求項１４】
前記少なくとも一つの制御ポイントから受信された前記ローカルメディアアップデート要請から情報を抽出するステップと、
前記ローカルメディアアップデート要請に基づいて前記少なくとも一つの制御ポイントと関連した前記第２クライアントのローカルメディア性能を判断するステップと、
前記サーバと関連したメモリ内のローカルメディア性能情報をアップデートするステップと、
前記アップデートされたローカルメディア性能情報に基づいて前記進行中のマルチメディア会議セッション期間に前記第２クライアントにメディアコンテンツを提供するステップと、をさらに含むことを特徴とする請求項１に記載の方法。
【請求項１５】
前記少なくとも一つの制御ポイントから受信された前記ローカルメディアアップデート要請から情報を抽出するステップと、
前記ローカルメディアアップデート要請に基づいて前記第１のクライアントのローカルメディア性能を判断するステップと、
前記サーバと関連したメモリ内のローカルメディア性能情報をアップデートするステップと、
前記制御ポイントによってアップデートされたローカルメディア性能情報に基づいて前記進行中のマルチメディア会議セッションと関連したメディアコンテンツを遮断するステップと、
前記アップデートされたローカルメディア性能情報に基づいて前記進行中のマルチメディア会議セッションと関連したメディアコンテンツを前記第１のクライアントに提供するステップと、をさらに含むことを特徴とする請求項１に記載の方法。
【請求項１６】
サーバであって、
前記サーバは、複数のＷＡＮ装置とのマルチメディア会議セッションと関連したセッション要請を受信し、前記セッション要請に基づいて少なくとも一つの制御ポイントと関連した第１のクライアントと前記複数のＷＡＮ装置との間の前記マルチメディア会議セッションを設定することを特徴とするサーバ。
【請求項１７】
前記セッション要請は、ローカルセッション識別子、セッション情報、前記第１のクライアントのメディア性能、ＷＡＮ装置のリストを含むことを特徴とする請求項１６に記載のサーバ。
【請求項１８】
前記サーバは、ＷＡＮを使用する前記セッション要請に基づいて、前記複数のＷＡＮ装置で前記マルチメディア会議セッションを開始し、一つ以上のクライアントのメディア性能に基づいて前記一つ以上のクライアントのうちの一つ、及び前記複数のＷＡＮ装置にマルチメディア会議データを提供することによって、前記一つ以上のクライアントのうちの一つと前記複数のＷＡＮ装置との間の前記マルチメディア会議セッションを設定することを特徴とする請求項１６に記載のサーバ。
【請求項１９】
前記サーバは、前記少なくとも一つの制御ポイントから前記複数のＷＡＮ装置で前記マルチメディア会議セッションを始めるための前記セッション要請を受信し、前記受信されたセッション要請から前記ローカルセッション識別子と、前記複数のＷＡＮ装置のリスト又は前記複数のＷＡＮ装置と関連した会議グループ識別子と、前記第１のクライアントのメディア性能及びセッション情報とを抽出し、前記セッション情報に基づいて前記セッション要請が前記マルチメディア会議セッションと関連するか否かを判断し、マルチメディア会議開始要請を生成して、前記複数のＷＡＮ装置のリスト又は前記複数のＷＡＮ装置と関連した会議グループ識別子に基づいて前記複数のＷＡＮ装置の各々に伝達し、
前記マルチメディア会議開始要請は、グループ会議セッション識別子、前記一つ以上のクライアントのメディア性能、セッション主題を含むことを特徴とする請求項１８に記載のサーバ。
【請求項２０】
前記サーバは、前記マルチメディア会議開始要請の伝達において、前記マルチメディア会議開始要請に対応して前記複数のＷＡＮ装置から確認メッセージを受信し、前記マルチメディア会議セッションの成功的な設定と関連した前記確認メッセージを処理した後、前記マルチメディア会議セッションの成功的な設定と関連した前記処理された確認メッセージを通じて前記少なくとも一つの制御ポイントに知らせることを特徴とする請求項１９に記載のサーバ。
【請求項２１】
前記マルチメディア会議セッションは、ビデオ会議セッションと、オーディオ会議セッションと、オーディオ及びビデオ会議セッションとからなるグループから選択されることを特徴とする請求項２０に記載のサーバ。
【請求項２２】
前記一つ以上のクライアントのうちの一つと、前記複数のＷＡＮ装置との間の前記マルチメディア会議セッションを設定する時、前記サーバは、前記マルチメディア会議セッション期間に前記複数のＷＡＮ装置からマルチメディアデータを受信し、前記マルチメディアデータが前記一つ以上のクライアントに互換可能なフォーマットで出力されるように、前記マルチメディア会議セッション期間に前記一つ以上のクライアントのメディア性能に基づいて前記マルチメディアデータを処理した後、前記一つ以上のクライアントのうちの一つに伝達することを特徴とする請求項２１に記載のサーバ。
【請求項２３】
前記サーバは、前記一つ以上のクライアントのうちの一つと前記複数のＷＡＮ装置との間の進行中のマルチメディア会議セッション期間に前記少なくとも一つの制御ポイントからグローバル修正セッション要請を受信し、前記少なくとも一つの制御ポイントから受信された前記グローバル修正セッション要請から情報を抽出し、前記複数のＷＡＮ装置に修正セッション情報を伝達し、前記グローバル修正セッション要請に基づいて前記進行中のマルチメディア会議セッションで少なくとも一つのＷＡＮ装置を追加、又は除去し、前記進行中のマルチメディア会議セッションで追加、又は除去された少なくとも一つのＷＡＮ装置に対して前記少なくとも一つの制御ポイント及び前記マルチメディア会議セッションの他のアクティブなＷＡＮ装置に知らせて、
前記グローバル修正セッション要請は、主題情報、前記一つ以上のクライアントのうち一つのメディア性能、前記マルチメディア会議セッションに追加されるか、前記マルチメディア会議セッションから除去される少なくとも一つのＷＡＮ装置を含むことを特徴とする請求項１５に記載のサーバ。
【請求項２４】
前記サーバは、前記少なくとも一つの制御ポイントから参加セッション要請を受信し、前記少なくとも一つの制御ポイントから受信された前記参加セッション要請からセッション識別子情報を抽出し、前記抽出されたセッション識別子情報が前記進行中のマルチメディア会議セッションと関連したセッション識別子情報とマッチングされるか否かを判断し、仮にマッチングされれば、前記進行中のマルチメディア会議セッションに参加し、前記参加セッション要請に基づいて前記一つ以上のクライアントのうちの一つが前記進行中のマルチメディア会議セッションに参加するように許容し、仮にマッチングされなければ、前記少なくとも一つの制御ポイントから受信された前記参加セッション要請を終了することを特徴とする請求項１５に記載のサーバ。
【請求項２５】
前記サーバは、前記進行中のマルチメディア会議情報と関連した動的セッション情報を前記少なくとも一つの制御ポイントに提供し、
前記動的セッション情報は、ユーザ脱退セッション情報と、ユーザ参加セッション情報と、前記マルチメディア会議セッションの主題変化とを含むことを特徴とする請求項１６に記載のサーバ。
【請求項２６】
前記サーバは、前記少なくとも一つの制御ポイントから受信されたローカルメディアアップデート要請からローカルメディア性能情報を抽出し、前記ローカルメディアアップデート要請に基づいて前記少なくとも一つの制御ポイントと関連した前記一つ以上のクライアントのうち、他の一つのローカルメディア性能を判断し、前記サーバと関連したメモリ内の前記ローカルメディア性能情報をアップデートし、前記アップデートされたローカルメディア性能情報に基づいて前記進行中のマルチメディア会議セッション期間に前記一つ以上のクライアントのうち、他の一つにメディアコンテンツを提供することを特徴とする請求項１６に記載のサーバ。
【請求項２７】
前記アップデートされたローカルメディア性能情報に対して前記一つ以上のクライアントのうち、他の一つは前記少なくとも一つの制御ポイントによってアップデートされることを特徴とする請求項２６に記載のサーバ。
【請求項２８】
前記サーバは、前記進行中のマルチメディア会議セッション期間に前記少なくとも一つの制御ポイントから前記ローカルメディアアップデート要請を抽出し、前記ローカルメディアアップデート要請に基づいて前記少なくとも一つの制御ポイントと関連した前記一つ以上のクライアントのうち一つのローカルメディア性能を判断し、前記サーバと関連したメモリ内の前記ローカルメディア性能情報をアップデートし、前記アップデートされたローカルメディア性能情報に基づいて前記進行中のマルチメディア会議セッション期間に前記ローカルメディア性能と関連しないメディアコンテンツを遮断し、前記アップデートされたローカルメディア性能情報に基づいて前記進行中のマルチメディア会議セッション期間に前記一つ以上のクライアントのうちの一つにメディアコンテンツを提供することを特徴とする請求項２２に記載のサーバ。
【請求項２９】
前記動的セッション情報は、ユーザ脱退セッション情報、ユーザ参加セッション情報、及び前記マルチメディア会議セッションの主題変化を含むことを特徴とする請求項２５に記載のサーバ。
【発明の詳細な説明】
【技術分野】
【０００１】
本発明は通信分野に関し、特にＵＰｎＰ可能テレフォニー装置とＷＡＮ装置との間のマルチメディア会議に関する。
【背景技術】
【０００２】
汎用プラグアンドプレイ（Universal Plug and Play：ＵＰｎＰ）は、ＵＰｎＰフォーラムで発表された１セットのコンピュータネットワークプロトコルである。ＵＰｎＰフォーラムの目標は、機器の切れのない接続を可能にし、ホームデータ共有、通信、エンターテインメント、及び会社環境でのネットワーク具現を単純化することにある。上記の目標はＵＰｎＰが開放型インターネット基盤の通信標準に基づいて作られたＵＰｎＰ機器制御プロトコルを定義し、発表することによりなされる。
【０００３】
ＵＰｎＰ構成は、個人用コンピュータ（Personal Computers：ＰＣｓ）、ネットワーク化された機器、及び無線機器のピア−ツー−ピアネットワーキングを可能にする。上記の構成は設定された標準に基づいた分散開放型構成に該当する（ＵＰｎＰテレフォニー装置／ＩＰ、ＵＤＰ、ＨＴＴＰ、及びＸＭＬ）。上記ＵＰｎＰ構成は、ゼロ−構成ネットワーキング（zero-configuration networking）をサポートする。どのメーカーからのＵＰｎＰ互換装置でも動的にネットワークに加入することができ、ＩＰアドレスを獲得することができ、自身の名前を知らせることができ、要請によって自身の性能を伝達することができ、他の装置の存在の有無及び性能について知ることができる。
【０００４】
同様に、ＵＰｎＰ装置は所望しない状態情報の提供無しで自動でネットワークを離れることができる。ＵＰｎＰプロトコルは、ディスカバリー（discovery）、制御（control）、及びイベンティング（eventing）メカニズムを提供する。ディスカバリーは、単純サービス伝達（Simple Service Delivery：ＳＳＤ）プロトコルを使用してなされることができる。全ての制御メッセージは拡張マークアップ言語（eXtended Markup Language：ＸＭＬ）形態である。イベンティングは、ＧＥＮＡ（General Event Notification Architecture）プロトコルに従う。このような技術を使用するによって、ＵＰｎＰはネットワークにおける他の装置にＵＰｎＰ装置が直ちに使用可能、又は不可能にする。
【０００５】
また、ＵＰｎＰフォーラムはメッセージサービス、プレゼンスサービス（presence service）、及び呼処理（ＰＳ／ＣＳ ｃａｌｌ）サービスのようなテレフォニーサービスに接続するためのホーム内でのユーザ経験を拡張させるテレフォニーサービスを提供する。ＵＰｎＰ ＤＡと類似するように、テレフォニーは３種類の装置、即ち、ユーザにメッセージ及びプレゼンス（presence）関連サービスを提供するテレフォニーサーバ（Telephony Server：ＴＳ）と、上記ＴＳが提供する動作を始めるためのテレフォニー制御ポイント（Telephony Control Point：ＴＣＰ）と、及びメディア関連処理を遂行し、上記ＴＳに／ＴＳから入力及び出力を提供し／提供を受けるテレフォニークライアント（Telephony Client：ＴＣ）装置とを定義する。
【０００６】
ＵＰｎＰテレフォニーサービスはＶＯＩＰまたは他の通話技術のような広域ネットワーク（Wide Area Network：ＷＡＮ）通話技術を使用してユーザがＵＰｎＰネットワークの外にあるユーザに発信できるようにする。しかしながら、ＵＰｎＰテレフォニーネットワークは、全ての種類のメディアコンテンツをサポートすることができないので、上記ＵＰｎＰテレフォニーサービスは２つまたはその以上のＷＡＮユーザの電話通話メディアセッションでない、ユーザが単一ＷＡＮ装置で通話することを許容する。例えば、テレビは平文（plain text）を表示することができ、ビデオをサポートしないことがある。ビデオフレームが抽出される必要がある場合、メディア交渉はマルチメディア会議セッションを設定する前に遂行されなければならない。さらに言えば、ＷＡＮ装置はＵＰｎＰテレフォニー装置、またはＴＣのメディア性能を知らない。
【０００７】
多目的インターネットメール拡張（Multipurpose Internet Mail extensions：ＭＩＭＥ）形態のようなメディア性能が考慮されなければ、ＵＰｎＰテレフォニー装置は電話会議メディアセッションでＷＡＮ装置からサポートされないメディアコンテンツ（ＵＰｎＰテレフォニー装置が全くサポートしない）を受信することで、上記電話会議メディアセッションに符合しないユーザ経験を発生させることができる。現在、動的情報は上記ＵＰｎＰテレフォニー装置から持ってくるよりは、ユーザにプッシュ（Push）される必要があるため、上記ＵＰｎＰテレフォニーサービスは上記電話会議メディアセッションに関連した動的セッション情報（例えば、セッションから脱退する、又はこれに参加するユーザ情報）を取って提供できていない。
【先行技術文献】
【非特許文献】
【０００８】
【非特許文献１】WALKER, M. et al.，New Uses, Proposed Standards, and Emergent Device Classes for Digital Home Communications, INTEL TECHNOLOGY JOURNAL，2006， Vol. 10, No. 1，pp. 67-75
【発明の概要】
【発明が解決しようとする課題】
【０００９】
本発明は、汎用プラグアンドプレイ（Universal Plug and Play：ＵＰｎＰ）テレフォニー装置と広域ネットワーク（Wide Area Network：ＷＡＮ）装置との間のマルチメディア会議システム及び方法を提供する。
【課題を解決するための手段】
【００１０】
本発明の一態様による汎用プラグアンドプレイ（Universal Plug and Play：ＵＰｎＰ）テレフォニー基盤ホームネットワークにおける少なくとも１つのテレフォニー制御ポイント（Telephony control Point：ＴＣＰ）、及び上記少なくとも１つのＴＣＰと関連した１つ以上のテレフォニークライアント（Telephony client：ＴＣ）装置を含むＵＰｎＰ可能テレフォニー装置と複数の広域ネットワーク（Wide Area Network：ＷＡＮ）装置との間のマルチメディア会議方法は、少なくとも１つのＴＣＰがセッション要請を通じて複数のＷＡＮ装置でマルチメディア会議セッションを始めるステップ、及び上記ＵＰｎＰテレフォニー基盤ホームネットワークにおけるテレフォニーサーバ（Telephony Server：ＴＳ）が上記セッション要請に基づいて上記少なくとも１つのＴＣＰと関連した第１のＴＣと上記複数のＷＡＮ装置との間の上記マルチメディア会議セッションを設定するステップを含む。
【００１１】
本発明の他の態様によるＵＰｎＰテレフォニー基盤ホームネットワークシステムは、セッション要請を通じて複数の広域ネットワーク（Wide Area Network：ＷＡＮ）装置でマルチメディア会議セッションを始める少なくとも１つのテレフォニー制御ポイント（Telephony Control Point：ＴＣＰ）と、上記少なくとも１つのＴＣＰと連結される１つ以上のテレフォニークライアント（Telephony client：ＴＣ）装置と、及び上記１つ以上のＴＣのうちの１つ、及び上記少なくとも１つのＴＣＰと連結されと、上記セッション要請に基づいて上記１つ以上のＴＣと上記複数のＷＡＮ装置との間のマルチメディア会議セッションを設定するテレフォニーサーバ（Telephony Server：ＴＳ）とを備える。
【００１２】
本発明の実施形態の他の特徴は添付した図面及び以下の詳細な説明により明らかになる。後述の図面に対する説明は、単に例示的なものであり、本発明の範囲を制限するように解釈されてはならない。
【発明の効果】
【００１３】
本発明によれば、汎用プラグアンドプレイ（Universal Plug and Play：ＵＰｎＰ）テレフォニー装置と広域ネットワーク（Wide Area Network：ＷＡＮ）装置との間のマルチメディア会議システム及び方法が提供できる。
【図面の簡単な説明】
【００１４】
【図１】本発明の一実施形態に係る１つまたはその以上のテレフォニークライアント（Telephony Client：ＴＣ）装置と広域ネットワーク（Wide Area Network：ＷＡＮ）装置との間のマルチメディア会議が可能な汎用プラグアンドプレイ（Universal Plug and Play：ＵＰｎＰ）テレフォニー基盤ホームネットワークシステムのブロック図である。
【図２】本発明の一実施形態に係るＵＰｎＰテレフォニー基盤ホームネットワークシステムにおけるＴＣとＷＡＮ装置との間のマルチメディア会議の好ましい方法を示すステップ流れ図である。
【図３】本発明の一実施形態に係るテレフォニー制御ポイント（Telephony control Point：ＴＣＰ）が少なくとも１つのＷＡＮ装置を進行中のマルチメディア会議セッションに追加、又はこれから除去する好ましい方法を示すステップ流れ図である。
【図４】本発明の一実施形態に係るＴＣと関連したローカルメディア性能情報に基づいてメディアコンテンツを進行中のマルチメディア会議セッション期間に提供する好ましい方法を図示するステップ流れ図である。
【図５】本発明の一実施形態に係るＷＡＮ装置で進行中のマルチメディア会議セッションに参加する好ましい方法を示すステップ流れ図である。
【図６】本発明の実施形態を具現するのに適切なコンピューティングシステム環境の例を示す図である。
【発明を実施するための形態】
【００１５】
本発明は汎用プラグアンドプレイ（Universal Plug and Play）可能テレフォニー装置と広域ネットワーク（Wide Area Network）装置との間のマルチメディア会議システム及び方法を提供する。本発明の実施形態に対する以下の詳細な説明は添付する図面を参照にして説明され、図面では本発明を具現できる具体的実施形態が図示される。本発明の実施形態、多様な特徴、及び利点は、添付した図面及び以下の説明で記述される実施形態を参照して詳細に説明される。ただし、これらの実施形態は本発明を制限しない。公知の構成要素及び処理技術に対する説明は、本発明の実施形態の要旨を不明瞭にさせると判断される場合は省略する。本発明で使われた例示は本発明のより全般的な理解を助けるために提供されるものであり、このような特定事項無しでも本発明が実施できることはこの技術分野で通常の知識を有する者には自明である。したがって、上記の例示は本発明の権利範囲を制限するように理解されてはならない。
【００１６】
図１は、本発明の一実施形態に係る１つまたはその以上のテレフォニークライアント（Telephony Clients：ＴＣ）装置１０１Ａ−Ｎと広域ネットワーク（Wide Area Network：ＷＡＮ）装置１１６Ａ−Ｎとの間のマルチメディア会議が可能な汎用プラグアンドプレイ（Universal Plug and Play：ＵＰｎＰ）テレフォニー基盤ホームネットワークシステム１００のブロック図である。図１で、上記ＵＰｎＰテレフォニー基盤ホームネットワークシステム１００は、テレフォニーサーバ（Telephony Server：ＴＳ）１０６に通信可能に連結された多数のＵＰｎＰ可能テレフォニー装置を含む。上記ＴＳ１０６はＷＡＮ１１４を介してＷＡＮ装置１１６Ａ−Ｎに接続される。
【００１７】
上記ＵＰｎＰ可能テレフォニー装置１０２Ａ−Ｎは、１つまたはその以上のテレフォニー制御ポイント（Telephony Control Points：ＴＣＰｓ）１０２Ａ−Ｎ及び上記ＴＣＰ１０２Ａ−Ｎの各々と関連した１つまたはその以上のテレフォニークライアント（Telephony Client：ＴＣ）装置１０１Ａ−Ｎを備える。上記ＵＰｎＰ可能テレフォニー装置の各々は、図１に示すように、ローカルメディア性能を開示し、修正し、アップデートし、上記ＷＡＮ装置１１６Ａ−Ｎと関連したマルチメディア会議セッションに参加するマルチメディア管理モジュール１０４を備える。上記マルチメディア会議セッションは、ＷＡＮ装置のリスト、若しくは、１つ又はその以上のＷＡＮ装置１１６Ａ−Ｎと関連した会議グループ識別子と、ローカルセッション識別子と、１つまたはその以上のＴＣ１０１Ａ−Ｎと関連したメディア性能（例えば、ＭＩＭＥ形態）と、セッション主題(session subject)と、セッション種類とを含むセッション要請を通じて始まる。
【００１８】
上記マルチメディア会議セッションは、ビデオ会議セッション、オーディオ会議セッション、及びオーディオ及びビデオ会議セッションでありうる。ＴＳ１０６は、ＴＣＰ１０２Ａ−Ｎのうちの１つから受信されたセッション要請（例えば、開始セッション要請、グローバル修正セッション要請、参加セッション要請、及びローカルメディアアップデート要請）を処理する要請処理モジュール１１０を含む。また、上記ＴＳ１０６はセッション要請に基づいて１つまたはその以上のＴＣ１０１Ａ−Ｎと１つまたはその以上のＷＡＮ装置１１６Ａ−Ｎとの間のマルチメディア会議セッションを設定するセッション設定モジュール１０８を備える。
【００１９】
上記ＴＳ１０６は、１つまたはその以上のＴＣ１０１Ａ−Ｎのそれぞれのメディア性能に基づいて上記ＴＣ１０１Ａ−ＮとＷＡＮ装置１１６Ａ−Ｎとの間のマルチメディア会議を可能にするマルチメディアデータ処理モジュールをさらに備える。また、メッセージ処理モジュール１１２は上記ＴＣＰ１０２Ａ−ＮがＧＥＮＡ（General Event Notification Architecture）プロトコルを使用して進行中のマルチメディア会議セッションと関連した動的セッション情報を購読できるようにする。
【００２０】
例えば、上記動的セッション情報は、セッションを脱退するユーザ情報、セッションに参加するユーザ情報、マルチメディア会議セッションへの変化などを含む。ＴＣＰ１０２Ａが購読する場合、上記ＴＳ１０６は上記進行中のマルチメディア会議セッションと関連した動的セッション情報を通知として上記ＴＣＰ１０２Ａに提供する。上記ＴＣＰ１０２Ａは、上記動的セッション情報を関連した１つまたはその以上のＴＣ１０１Ａ−Ｎに提供する。また、上記ＴＳ１０６は１つまたはその以上のＷＡＮ装置１１６Ａ−Ｎと関連した外部会議サーバの不在時、上記ＴＳ１０６の上でマルチメディア会議セッションを管理する会議サーバモジュール１１３を備える。また、上記ＵＰｎＰテレフォニー基盤ホームネットワークシステム１００の動作は、図２乃至図５を参照してより詳細に説明される。
【００２１】
図２は、本発明の一実施形態に係るＵＰｎＰテレフォニー基盤ホームネットワークシステム１００におけるＴＣ１０１ＡとＷＡＮ装置１１６Ａ−Ｎとの間のマルチメディア会議の好ましい方法を示すステップ流れ図（２００）である。ステップ２０２で、マルチメディア会議セッション開始のためのセッション要請がＴＣＰ１０２Ａにより生成される。上記セッション要請はＷＡＮ装置のリストと、ＷＡＮ装置１１６Ａ−Ｎと関連した会議グループ識別子と、ローカルセッション識別子と、上記ＴＣ１０１Ａのメディア性能と、セッション情報（例えば、主題）とを含む。好ましい一実施形態において、上記セッション要請はアッドホックタイプマルチメディア会議セッションに対するＷＡＮ装置のリストを含む。他の一実施形態において、上記セッション要請は、予め約束されたマルチメディア会議セッションの場合、上記ＷＡＮ装置と関連した会議グループ識別子を含む。上記ＴＳ１０６のアドレスブックに既に定義された会議グループを使用する予め約束されたマルチメディア会議セッションを始める好ましいスキーマがAPPENDIX“Ａ”に図示される。メディア交渉はＵＰｎＰテレフォニー呼管理標準で定義されたものと類似の方式により遂行される。追加で、上記セッション要請での上記ＴＣ１０１Ａメディア性能は、上記メディア交渉期間に使われる。
【００２２】
ステップ２０４で、上記セッション要請はＴＣＰ１０２ＡによりＴＳ１０６に転送される。ステップ２０６で、上記セッション要請は、上記ＴＣＰ１０２Ａから上記ＴＳ１０６に受信される。ステップ２０８で、上記受信されたセッション要請が処理され、ＷＡＮ装置のリスト、またはＷＡＮ装置１１６Ａ−Ｎと関連した会議グループ識別子、ローカルセッション識別子、上記ＴＣ１０１Ａのメディア性能、及びセッション情報（例えば、主題）が上記ＴＳ１０６により上記受信されたセッション要請から抽出される。
【００２３】
ステップ２１０で、上記セッション情報に基づいて上記セッション要請がマルチメディア会議セッションと関連するかを判断する。上記セッション識別子が“個人”を表せば、上記セッション要請がマルチメディア会議セッションと関連しないと決定する。このような場合、ステップ（２００）が終了する。一方、上記セッション要請の内の上記セッション識別子が“グループ”であれば、上記セッション要請が上記マルチメディア会議セッションと関連すると決定する。このような場合、ステップ２１２で、上記ＴＣ１０１ＡとＷＡＮ装置１１６Ａ−Ｎとの間のマルチメディア会議セッションを設定するための会議開始要請がＴＳ１０６により生成される。例えば、上記会議開始要請は、グローバルセッション識別子、会議リンク（例えば、議題）、ＴＣ１０１Ａのメディア性能、セッション主題などを含むことができる。
【００２４】
ステップ２１４で、上記セッション要請で要請された上記会議開始要請はＴＳ１０６によりＷＡＮ装置１１６Ａ−Ｎの各々に転送される。前述したように、ＷＡＮ装置が外部会議サーバを有する場合、ＴＳは上記外部会議サーバに会議開始要請を転送し、会議リンク（例えば、議題）、ＴＣ１０１Ａのメディア性能、及びセッション主題のような固定的情報を上記外部会議サーバでアップデートする。ＯＭＡ標準に対する固定的な情報の好ましいスキーマはAPPENDIX“Ｂ”に図示される。そうでなければ、ＴＳ１０６が会議サーバモジュール１１３の上でマルチメディア会議セッションを始める場合、上記会議開始要請がＷＡＮ装置に直ちに転送される。ステップ２１６で、上記会議開始要請に対応して確認メッセージがＷＡＮ装置１１６Ａ−Ｎの各々から受信される。ステップ２１８で、マルチメディア会議セッションの成功的な設定と関連した確認メッセージが処理され、ＴＳ１０６は上記処理された確認メッセージを通じてＴＣＰ１０２Ａにこれを知らせる。
【００２５】
ステップ２２０で、マルチメディア会議セッション期間に交渉されたメディア性能に基づいて１つ以上のＷＡＮ装置１１６Ａ−Ｎから受信されたマルチメディアデータがＴＣ１０１Ａに提供される。一実施形態において、上記マルチメディアデータはＴＣ１０１に互換されるフォーマットで出力されるように提供される。または、上記ＴＣ１０１Ａから受信されたマルチメディアデータは、１つ以上のＷＡＮ装置１１６Ａ−Ｎに提供される。また、上記ステップ（２００）はＴＣＰ１０２Ａが上記ＷＡＮ装置１１６Ａ−Ｎで進行中のマルチメディア会議セッションを修正し、参加し、または局所的にアップデートできるようにし、これは図３、図４、及び図５でより詳細に説明される。また、上記記述されたステップ（２００）は、上記進行中のマルチメディア会議セッション期間に上記ＴＣＰ１０２Ａに動的情報を提供することができる。
【００２６】
図３は、本発明の一実施形態に係るテレフォニー制御ポイント（Telephony control Point：ＴＣＰ）１０２Ａが少なくとも１つのＷＡＮ装置を進行中のマルチメディア会議セッションに追加する、又はこれから除去する好ましい方法を示すステップ流れ図（３００）である。ステップ３０２で、グローバル修正セッション要請が上記ＴＣＰ１０２Ａと上記ＷＡＮ装置１１６Ａ−Ｎとの間の進行中のマルチメディア会議セッションの期間にＴＣＰ１０２Ａにより生成される。上記グローバル修正セッション要請は新たな主題情報と新たなＴＣ１０１Ａの新たなメディア性能を選択的に含み、上記マルチメディア会議セッションに追加される、または上記マルチメディア会議セッションから除去される少なくとも１つのＷＡＮ装置を含む。
【００２７】
ステップ３０４で、ＴＳ１０６は上記受信されたグローバル修正セッション要請から情報を抽出する。ステップ３０６で、上記ＴＳ１０２はＷＡＮ１１４の上で上記ＷＡＮ装置１１６Ａ−Ｎと修正セッション情報をやり取りすることができる。ステップ３０８で、少なくとも１つのＷＡＮ装置は上記グローバル修正セッション要請に基づいて上記進行中のマルチメディア会議セッションに追加、またはこれから除去される。ステップ３１０で、上記進行中のマルチメディア会議セッションのＴＣＰ１０２Ａ及び他のアクティブなＷＡＮ装置は、上記進行中のマルチメディア会議セッションに追加、またはこれから除去された少なくとも１つのＷＡＮ装置を知るようになる。ステップ３０４乃至ステップ３１０は、ＴＳ１０６により遂行される。同一な方式で、上記ＴＣＰ１０２Ａは、上記進行中のマルチメディア会議セッション間情報（例えば、状態、主題、会議スケジュール情報、メディア性能等）をアップデートすることができる。
【００２８】
図４は、本発明の一実施形態に係るＴＣと関連したローカルメディア性能情報に基づいてメディアコンテンツを進行中のマルチメディア会議セッション期間に提供する好ましい方法を示すステップ流れ図（４００）である。ステップ４０２で、ローカルメディアアップデート要請が進行中のマルチメディア会議セッション期間にＴＣＰ１０２Ａにより生成される。上記ローカルメディア要請は、上記ＴＣＰ１０２が上記ＵＰｎＰテレフォニー基盤ホームネットワークシステム１００におけるメディア性能を局所的にアップデートしたい時に生成される。上記ＴＣＰ１０２Ａは、上記ローカルメディアアップデート要請をＴＳ１０６に転送する。上記ローカルメディアアップデート要請は、ローカルセッション識別子と、ＴＣ１０１Ｂのローカルメディア性能情報と、上記ＴＣ１０１Ｂと関連した情報とを含む。ローカルメディア要請は、上記ＴＣＰ１０２Ａが進行中のマルチメディア情報セッションをＴＣ１０１ＡからＴＣ１０２Ｂに変換を希望することとして、上記ＴＣ１０１Ｂと関連した情報を含む。
【００２９】
ステップ４０４で、ローカルメディア性能情報は、上記ＴＣ１０６により受信された上記ローカルメディアアップデート要請から抽出される。上記ローカルメディア性能情報は、上記進行中のマルチメディア会議セッション期間にメディアコンテンツを受信するためのＴＣ１０１Ｂのメディア性能を表す。ステップ４０６で、上記ＴＣ１０１Ｂのローカルメディア性能は、上記抽出されたローカルメディア性能情報に基づいて決定される。ステップ４０８で、ローカルメディア性能は、ＴＳ１０６のメモリでアップデートされる。ステップ４１０で、上記ＴＣＰ１０２Ａは、ＴＳ１０６により成功的なローカルメディア性能アップデートを知るようになり、上記ＴＣ１０１ＢはＴＣＰ１０２Ａにより上記アップデートされたローカルメディア性能情報がアップデートされる。
【００３０】
ステップ４１２で、進行中のマルチメディア会議セッションがアップデートされ、アップデートされたメディアコンテンツは、上記ローカルメディア性能情報に基づいた進行中のマルチメディア会議メッセージセッション期間に、ＴＳ１０６に提供される。ステップ４１４で、上記ＴＳ１０６から受信された動的情報が処理されるが、上記ＴＣ１０１Ｂは上記ＴＳ１０６から動的情報を受信して表示できないので、上記動的情報はＴＣＰ１０２Ａにより上記ＴＣ１０１Ｂに伝えられる。このような方式により、上記の方法はＵＰｎＰテレフォニー基盤ホームネットワークシステム１００で３ボックスモデル（3 box model）を提供する。または、ＴＣＰ１０２ＡがＴＣ１０１Ａの新たなローカルメディア性能をアップデートするためのローカルアップデート要請を転送してＴＳ１０６が上記ローカルメディアアップデート要請での新たなローカルメディア性能に基づいてメディアコンテンツをＴＣ１０１Ａに提供するようにすることができる。例えば、上記新たなローカルメディア性能が、ＴＣ１０１Ａがオーディオコンテンツでないビデオコンテンツの受信を所望することを表す場合、上記ＴＳ１０６はオーディオを遮ってビデオコンテンツのみを上記ＴＣ１０１Ａに提供する。
【００３１】
図５は、本発明の一実施形態に係るＷＡＮ装置で進行中のマルチメディア会議セッションに参加する好ましい方法を示すステップ流れ図（５００）である。ステップ５０２で、進行中のマルチメディア会議セッションに参加するための参加セッション要請は、上記ＴＣＰ１０２Ａにより生成される。例えば、上記ＴＣＰ１０２Ａは、携帯電話のバッテリーが無くなる、又は上記ＴＳ１０６への信号を失った場合、上記参加セッション要請を生成することができる。ステップ５０４で、セッション識別子は上記ＴＳ１０６により受信された参加セッション要請から抽出される。
【００３２】
ステップ５０６で、上記抽出されたセッション識別子が進行中のマルチメディア会議セッションと関連したセッション識別子とマッチングされるか否かを判断する。仮にマッチングされれば、ステップ５０８で、上記ＴＳ１０６は進行中のマルチメディア会議セッションに参加する。ステップ５１０で、上記ＴＣＰ１０２Ａは上記参加セッション要請に基づいて上記進行中の会議セッションに参加するように許容される。仮にマッチングされなければ、ステップ５１２で、上記参加セッション要請が終了する。
【００３３】
また、一実施形態において、非臨時的な(non-transitory)コンピュータ読取可能記録媒体は、ＴＣＰ（例えば、テレビ、個人用コンピュータ）及び／またはＴＳ１０２（例えば、携帯電話、ＰＤＡ等）のうちの１つにより実行される時、上記ＴＣＰ及びＴＳ１０６のうちの１つが図２乃至図５の方法を遂行するようにする命令を有する。
【００３４】
図６は、本発明の実施形態を具現するに適切なコンピューティングシステム環境（６００）の例を図示する。図６及び以下の説明は、本明細書で含まれた本発明趣旨の実施形態が実施され得る適切なコンピューティングシステム環境（６００）の簡潔で一般的な記述を与えることを意図している。
【００３５】
ＴＣＰ１０２Ａ及びＴＳ１０６のような一般的なコンピューティング装置６０１は、プロセッサ６０２、メモリ６０４、移動型格納装置６０６、及び非移動型格納装置６０８を備え得る。上記コンピューティング装置６０１は、追加的にバス６１０及びネットワークインターフェース６１２を備える。上記コンピューティング装置６０１は、１つ以上のユーザ入力装置６１４、１つ以上の出力装置６１６、及びネットワークインターフェースカードまたは汎用直列バス接続のような１つ以上の通信接続６１８を備えるコンピューティング環境（６００）を備えたり、そのようなコンピューティング環境（６００）に接続できる。上記１つ以上のユーザ入力装置６１４は、キーボード、マウスなどでありうる。上記１つ以上の出力装置６１６は、ＴＳ１０６及びＴＣＰ１０２Ａのディスプレイでありうる。上記通信接続６１８はＵＰｎＰテレフォニー基盤ホームネットワークを含むことができる。
【００３６】
上記メモリ６０４は、揮発性メモリ６２０及び不揮発性メモリ６２２を含むことができる。多様なコンピュータ読取可能な記録媒体が上記揮発性メモリ６２０と不揮発性メモリ６２２、上記移動型格納装置６０６、及び上記非移動型格納装置６０８のようなコンピューティング装置６０１のメモリ要素に格納され、これらから接続できる。コンピュータメモリ要素はデータ及び機械読取可能な命令を格納することに適切な読取専用メモリ（Read Only Memory：ＲＯＭ）、ランダムアクセスメモリ（Random Access Memory：ＲＡＭ）、消去プログラム可能読取専用メモリ（Erasable Programmable Read Only Memory：ＥＰＲＯＭ）、電気的消去プログラム可能読取専用メモリ（Electrically Erasable Programmable Read Only Memory：ＥＥＰＲＯＭ）ハードドライブ、コンパクトディスク、ディジタルビデオディスク、ディスケット、磁気テープカートリッジ、メモリカード、メモリスティックＴＭなどを扱う移動型メディアドライブのようなメモリ装置を含むことができる。
【００３７】
本発明で使われる上記プロセッサ６０２は、マイクロプロセッサ（microprocessor）、マイクロコントローラー（microcontroller）、複合命令セットコンピューティングマイクロプロセッサ（complex instruction set computing microprocessor）、短縮命令セットコンピューティングマイクロプロセッサ（reduced instruction set computing microprocessor）、非常に長い命令語マイクロプロセッサ（very long instruction word microprocessor）、明示的並列命令語コンピューティングマイクロプロセッサ（explicitly parallel instruction computing microprocessor）、グラフィックプロセッサ（graphic processor）、ディジタル信号プロセッサ（digital signal processor）、または他の形態の処理回路のような如何なる種類の計算回路を意味するが、これに限定されるものではない。また、上記プロセッサ６０２は一般またはプログラム可能論理装置またはアレイ（generic or programmable logic devices or arrays）、アプリケーション特定集積回路（application specific integrated circuits）、単一チップコンピュータ（single-chip computers）、スマートカード（smart cards）などのエンベデッドコントローラー（embedded controllers）を含むことができる。
【００３８】
本発明の実施形態は、機能、手続き、データ構造、及び応用プログラムを含む業務を遂行する、又は抽象データタイプまたは下位レベルハードウェアコンテクストを定義するプログラムモジュールと共に具現できる。前述した記録媒体に格納される機械読取可能命令は、上記コンピューティング装置６０１のプロセッサ６０２により実行できる。例えば、コンピュータプログラム６２４は、本発明の実施形態に係るＵＰｎＰ可能テレフォニー装置とＷＡＮ装置との間のマルチメディア会議が可能な機械読取可能命令を含むことができる。一実施形態において、上記コンピュータプログラム６２４は、コンパクトディスク読取専用メモリ（Compact Disk-Read Only Memory：ＣＤ−ＲＯＭ）に含まれることができ、上記不揮発性メモリ６２２で上記ＣＤ−ＲＯＭからハードドライブにローディングできる。上記機械読取可能命令は、本発明の多様な実施形態によって上記コンピューティング装置６０１の符号化を可能にすることができる。
【００３９】
前述したように、本発明はＵＰｎＰテレフォニー装置とＷＡＮ装置との間に効率的な方式のマルチメディア会議を提供することができる。
【００４０】
本明細書で記述された多様な実施形態は同一な実施形態でなく、本明細書に明示的に記述されていない他の多様な実施形態とグループ化できる。また、本発明の多様な動作、過程、及び方法は、データ処理システム（例えば、コンピュータシステム）と互換される機械読取可能媒体及び／または機械接続可能媒体で具現されることができ、（例えば、多様な動作を遂行するための手段の使用を含む）順序に遂行できる。したがって、本発明の明細書及び図面は本発明を制限するよりは、本発明を例示すると見なされなければならない。
【００４１】
APPENDIX 'A'
<?xml version="1.0" encoding="utf-8"?>
<peerList:peerList 
xsi:schemaLocation="urn:schemas-upnp-org:phone:peer 
http://www.upnp.org/schemas/phone/peer-v1.xsd"
xmlns:xsi="http://www.w3.org/2001/XMLSchema-instance" 
xmlns:peer="urn:schemas-upnp-org:phone:peer">
<peer:Peer>
<peer:id>
The identifier of the Peer (e.g., phone number, etc.)
</peer:id>
<peer:name>A user friendly name for the Peer</peer:name>
<peer:contactInstanceId>
The instance identifier for a contact referred by the Peer
</peer:contactInstanceId>
<peer:groupInstanceId>
The instance identifier for a group referred by the Peer
</peer:groupInstanceId>
</peer:peer>
</peerList:peerList><?
【００４２】
APPENDIX 'B'
<?xml version="1.0" encoding="UTF-8"?>
<StaticConferenceInfo xmlns="urn:schemas-upnp-org:phone:messaging"
xmlns:xsi="http://www.w3.org/2001/XMLSchema-instance"
xsi:schemaLocation="urn:schemas-upnp-org:phone:messaging
http://www.upnp.org/schemas/phone/messaging-v1.xsd">
<Conference_Call_Information>
<ConferenceSessionID>1234</ConferenceSessionID>
<ConferenceType>ad-hoc</conferencetype>
<ConferenceSubject>UPnP-Messaging Spec Review</ConferenceSubject>
…
…
</Conference_Call_Information>
</StaticConferenceInfo>
【符号の説明】
【００４３】
１００ ＵＰｎＰテレフォニー基盤ホームネットワークシステム
１０１Ａ ＴＸ
１０２Ａ ＴＣＰ
１０４ マルチメディア管理モジュール
１０６ テレフォニーサーバ
１０８ セッション設定モジュール
１１０ 要請処理モジュール
１１２ マルチメディア処理モジュール
１１３ 会議サーバモジュール
１１４ ＷＡＮ
１１６Ａ ＷＡＢ装置
【図１】
2014207675.tif 000003
【図２】
2014207675.tif 000004
【図３】
2014207675.tif 000005
【図４】
2014207675.tif 000006
【図５】
2014207675.tif 000007
【図６】
2014207675.tif 000008